(57)【要約】  発光装置等であり、360〜430ｎｍに第１ピーク波長を有し、第１放射光を放射する発光部を有する発光素子と、発光素子の発光部上に位置しており、430〜470ｎｍに第２ピーク波長を有し、第２放射光を放射する蛍光体を含む被覆材とを備えており、第１ピーク波長および第２ピーク波長を含むピーク領域と、第２ピーク波長から750ｎｍの波長にかけて、光強度が連続的に減少する長波長領域とを有する外部放射光を放射する。
2019106864.tif 000002
【特許請求の範囲】
【請求項１】
３６０〜４３０ｎｍに第１ピーク波長を有する第１放射光を放射する発光部を有する発光素子と、前記発光素子の前記発光部上に位置しており、４３０〜４７０ｎｍに第２ピーク波長を有する第２放射光を放射する蛍光体を含む被覆材とを備えており、
前記第１ピーク波長および前記第２ピーク波長を含むピーク領域と、前記第２ピーク波長の上限から７５０ｎｍの波長にかけて、光強度が連続的に減少する長波長領域とを有する外部放射光を放射する発光装置。
【請求項２】
前記長波長領域における前記外部放射光の光強度は、４９５〜５７０ｎｍの波長領域において前記第１ピーク波長における光強度の１〜２０％の強さであり、５７０〜５９０ｎｍの波長領域において前記第１ピーク波長における光強度の０．２〜３％の強さであり、５９０〜７５０ｎｍの波長領域において前記第１ピーク波長における光強度の１％以下の強さである請求項１記載の発光装置。
【請求項３】
前記外部放射光は、３６０ｎｍ未満の紫外領域における光強度が、前記第１ピーク波長における光強度の１％以下である請求項１または請求項２記載の発光装置。
【請求項４】
請求項１〜３のいずれか１項記載の発光装置と、
該発光装置が実装された実装板とを備える照明装置。
【発明の詳細な説明】
【技術分野】
【０００１】
本発明は、発光素子および蛍光体を含む発光装置および照明装置に関する。
【背景技術】
【０００２】
近年、ＬＥＤ（Laser Emitting Diode）等の半導体発光素子（以下、単に発光素子という）を光源とする発光装置および発光装置を基板等に実装した照明装置が用いられている。このような発光装置等は、例えば、太陽光等の自然光の代替として、各種の製造工程で使用される場合がある。【０００３】
上記の発光装置等を、植物または動物等の観賞に適した色調等の光源として用いることが試みられるようになってきている。例えば近年、海中等の水中に生息する生物（水生生物）の屋内での鑑賞に、上記の発光装置が用いられる場合がある。
【発明の概要】
【０００４】
本発明の１つの態様の発光装置は、360〜430ｎｍに第１ピーク波長を有する第１放射光を放射する発光部を有する発光素子と、前記発光素子の前記発光部上に位置しており、430〜470ｎｍに第２ピーク波長を有する第２放射光を放射する蛍光体を含む被覆材とを備えている。この発光装置は、前記第１ピーク波長および前記第２ピーク波長を含むピーク領域と、前記第２ピーク波長の上限から750ｎｍの波長にかけて、光強度が連続的に減少する長波長領域とを有する外部放射光を放射する。
【０００５】
本発明の１つの態様の照明装置は、上記構成の発光装置と、該発光装置が実装された実装板とを備える。
【図面の簡単な説明】
【０００６】
【図１】本発明の実施形態の発光装置を示す斜視図である。
【図２】図１に示す発光装置を仮想線で示す平面で切断したときの断面図である。
【図３】図２に示す発光装置の一部を拡大して示す断面図である。
【図４】本発明の実施形態の発光装置における外部放射光のスペクトルおよび海中における太陽光のスペクトルを示す図である。
【図５】本発明の実施形態の照明装置を示す斜視図である。
【発明を実施するための形態】
【０００７】
本発明の実施形態の発光装置および照明装置を、添付の図面を参照して説明する。以下の説明における上下の区別は便宜的ものであり、発光装置および照明装置が実際に用いられるときの上下を規定するものではない。なお、以下の説明における「観賞に適する」こと等は、観賞の対象である水生生物を、それらの生物が本来生息している海中等の水中で見たときと同様の色（色調等）で見ることができる状態であることを意味する。この場合の色の再現は、目視で実感できるものであればよい。「水中」と「海中」とについては、特に区別せずに用いる。
【０００８】
図１は、本発明の実施形態の発光装置１を示す斜視図である。図２は、図１に示す発光装置１を仮想線で示す平面で切断したときの断面図である。図３は、図２に示す発光装置１の一部（二点鎖線で囲んだ部分Ｘ）を拡大して示す断面図である。図４は、本発明の実施形態の発光装置における外部放射光のスペクトル、および水深40ｍ程度の海中における太陽光のスペクトルを示す図である。図５は、本発明の実施形態の照明装置10を示す斜視図である。これらの図において、発光装置１は、基板２と、発光素子３と、枠体４と、封止部材５と、被覆材６と、蛍光体７とを備えている。照明装置10は、発光装置１と、発光装置１が実装された実装板11とを備えている。
【０００９】
本実施形態において、発光装置１は、基板２と、基板２に搭載された発光素子３と、基板２の上面に位置し、平面視で発光素子３を囲んでいる枠体４と、枠体４に内側に位置して発光素子３を封止している封止部材５と、封止部材５を介して発光素子３上に位置している被覆材６とを有している。また、被覆材６は、発光素子３の発光部３ａ上に位置し、蛍光体７を含んでいる。発光素子３は、例えば、ＬＥＤであって、半導体を用いたｐｎ接合中の電子と正孔が再結合することによって、外部に向かって光を放出する。
【００１０】
基板２は、絶縁性の基板であって、例えば平面視で矩形状であり、発光素子３が搭載されている第１面（例えば上面）と、反対側の第２面（例えば下面）とを有している。基板２は、例えば、酸化アルミニウム質焼結体、ムライト質焼結体、窒化アルミニウム質焼結体または窒化ケイ素質焼結体等のセラミック材料、またはガラスセラミック焼結体等の材料からなる。また、基板２は、これらの材料のうち複数の材料を混合した複合系材料からなるものでもよい。また、基板２は、金属酸化物等の微粒子（フィラー粒子）を分散させた高分子樹脂からなるものでもよい。フィラー粒子により、基板２の熱膨張係数を調整することができる。
【００１１】
基板２は、例えば、酸化アルミニウム質焼結体からなる場合であれば、次の工程で製作することができる。まず、酸化アルミニウムおよび酸化ケイ素等の原料粉末に有機溶剤およびバインダを添加して混練したスラリーをドクターブレード法等の方法でシート状に成形してセラミックグリーンシートを作製する。次に、セラミックグリーンシートを所定の形状および寸法に切断して複数のシートを作製する。その後、これらのシートを必要に応じて複数層積層し、約1300〜1600℃の温度で一体的に焼成する。以上の工程によって、基板２を製作することができる。
【００１２】
基板２には、少なくとも基板２の上面または内部には、配線導体（図示せず）が位置している。配線導体は、基板２の枠体４で囲まれた部分の内外を電気的に導通する。配線導体は、例えば、タングステン、モリブデン、マンガン、銅、銀、パラジウムおよび金等の材料から適宜選択された導電材料からなる。
【００１３】
基板２がセラミック材料からなる場合は、配線導体は、例えば次のようにして形成することができる。まず、タングステン等の粉末に有機溶剤を添加して得た金属ペーストを、基板２となる複数のシートにそれぞれ所定パターンで印刷する。その後、複数のシートを積層したものと金属ペーストとを同時焼成する。以上の工程により、基板２に配線導体を形成することができる。なお、配線導体の表面には、酸化の可能性低減または後述するろう材の濡れ性等の特性向上等のために、例えば、ニッケルまたは金等のめっき層が形成されている。
【００１４】
また、基板２の上面等の発光素子３が搭載される面には、基板２上方（外部）に効率よく光を反射させるために、配線導体およびめっき層と間隔を空けて金属反射層（図示せず）が配置されていてもよい。金属反射層は、例えば、アルミニウム、銀、金、銅またはプラチナ（白金）等の金属材料からなる。これらの金属材料は、例えば配線導体と同様のメタライズ層の形態でもよく、めっき層を含む薄膜層の形態でもよい。また、金属反射層は、複数の形態の金属層からなるものでもよい。
【００１５】
発光素子３は、基板２の上面に搭載されている。発光素子３は、基板２の上面に位置する配線導体（または、その表面のめっき層）上に、例えば、ろう材または半田を介して電気的および機械的に接続されている。発光素子３は、透光性基体（符号なし）と、透光性基体上に位置する光半導体層である発光部３ａとを有している。透光性基体は、有機金属気相成長法または分子線エピタキシャル成長法等の化学気相成長法を用いて、光半導体層を成長させることが可能なものであればよい。
【００１６】
透光性基体に用いられる材料としては、例えば、サファイア、窒化ガリウム、窒化アルミニウム、酸化亜鉛、セレン化亜鉛、シリコンカーバイド、シリコンまたは二ホウ化ジルコニウム等を用いることができる。なお、透光性基体の厚みは、例えば50μｍ以上1000μｍ以下である。
【００１７】
光半導体層は、透光性基体上に位置する第１半導体層と、第１半導体層上に位置する発光層と、発光層上に位置する第２半導体層とから構成されている。第１半導体層、発光層および第２半導体層は、例えば、ＩＩＩ族窒化物半導体、ガリウムリンまたはガリウムヒ素等のＩＩＩ−Ｖ族半導体、あるいは、窒化ガリウム、窒化アルミニウムまたは窒化インジウム等のＩＩＩ族窒化物半導体等を用いることができる。なお、第１半導体層の厚みは、例えば１μｍ以上５μｍ以下である。発光層の厚みは、例えば25ｎｍ以上150ｎｍ以下である。第２半導体層の厚みは、例えば50ｎｍ以上600ｎｍ以下である。また、このように構成された発光素子３は、例えば360〜430ｎｍ（すなわち、380ｎｍ以上かつ430ｎｍ以下）の波長範囲の励起光を発することができる。すなわち、実施形態の発光装置１は、紫色の波長領域の光（可視光）を放射する。
【００１８】
枠体４は、例えば、酸化アルミニウム、酸化チタン、酸化ジルコニウムまたは酸化イットリウム等のセラミック材料からなる。また、枠体４は、多孔質材料でもよい。また枠体４は、酸化アルミニウム、酸化チタン、酸化ジルコニウムまたは酸化イットリウム等の金属酸化物からなる粉末を混合させた樹脂材料からなるものでもよい。
【００１９】
枠体４は、基板２の上面に、例えば樹脂、ろう材または半田等を介して接続されている。枠体４は、発光素子３と間隔を空けて、発光素子３を取り囲むように基板２の上面に設けられている。また、枠体４は、傾斜する内壁面が、基板２の上面から遠ざかるに従い、外方に向かって広がるように形成されている。枠体４の外側に広がるように傾斜した内壁面が、発光素子３から発せられる励起光を外部に放射する反射面として機能する。なお、平面視して、枠体４の内壁面の形状を円形とすると、発光素子３が放射する光を一様に反射面にて外方に向かって反射させることができる。
【００２０】
また、枠体４の傾斜している内壁面は、例えば、焼結材料からなる枠体４の内周面にタングステン、モリブデン、マンガン等から成る金属層と、金属層を被覆するニッケルまたは金等からなるめっき層を形成してもよい。このめっき層は、発光素子３の発する光を反射させる機能を有する。なお、枠体４の内壁面の傾斜角度（縦断面視において枠体の内壁面と基板２上面とのなす角の大きさ）は、基板２の上面に対して例えば55度以上70度以下の角度に設定されている。
【００２１】
基板２および枠体４で囲まれる内側の空間には、光透過性の封止部材５が充填されている。封止部材５は、発光素子３を封止するとともに、発光素子３の内部から発せられる光を外部に光を外部に透過させる機能を備えている。
【００２２】
封止部材５は、基板２および枠体４で囲まれる内側の空間内に、枠体４で囲まれる空間の一部を残して充填されている。封止部材５は、例えば、シリコーン樹脂、アクリル樹脂またはエポキシ樹脂等の透光性の絶縁樹脂や透光性のガラス材料が用いられる。封止部材５の屈折率は、例えば1.4以上1.6以下に設定されている。
【００２３】
被覆材６は、発光素子３の発光部３ａ上に位置している。すなわち、被覆材６は、発光素子３の上面と封止部材５を介して対向している。例えば図２に示すように、被覆材６は、基板２および枠体４で囲まれた内側の空間の上部に、封止部材５の上面に沿って設けられている。被覆材６は、枠体４内に収まるように位置している。被覆材６は、発光素子３の発する光の波長を変換する機能を有している。被覆材６における波長変換の機能は、被覆材６内に位置している蛍光体７による。
【００２４】
すなわち、発光素子３から放射された光が封止部材５を介して被覆材６の内部に入射する。被覆材６の内部に含有されている蛍光体７が、発光素子３から放射された光によって励起されて蛍光を発する。被覆材６は波長変換の機能を有している。また、被覆材６は、発光素子３から放射された光の一部を透過させる。つまり、被覆材６から外部に放射される外部放射光は、発光素子から放射された放射光（第１放射光）と、蛍光体７から放射された蛍光（第２放射光）とを含んでいる。外部放射光のスペクトルは、これらの第１および第２放射光のスペクトルが合成されたものになる。
【００２５】
被覆材６は、例えば、フッ素樹脂、シリコーン樹脂、アクリル樹脂またはエポキシ樹脂等の透光性の絶縁樹脂、または透光性のガラス材料を有し、その絶縁樹脂、ガラス材料中に、蛍光体７が含有されている。蛍光体７は、例えば、被覆材６中に均一に分散している。
【００２６】
発光素子３および被覆材６中に含有される蛍光体７としては、最終的に発光装置１から外部に放射される光である外部放射光（Radiated-light）の発光スペクトルが、図４に示すような発光スペクトルとなるようなものが選ばれる。この場合、第１放射光を放射する発光素子３についても、外部放射光が上記スペクトルになるように設定することができる。なお、上記の発光スペクトルは、例えば、分光器および制御回路を備える市販の各種測定器で測定することができる。
【００２７】
本実施形態の発光装置１では、前述したように、発光素子３から放射される第１放射光が、360〜430ｎｍに第１ピーク波長λ１を有している。また、蛍光体７から放射される第２放射光が、430〜470ｎｍに第２ピーク波長λ２を有している。これらの第１放射光および第２放射光を含む、発光装置１から外部への放射光（外部放射光）は、第１ピーク波長および第２ピーク波長λ２を含むピーク領域Ｐと、第２ピーク波長λ２の上限から750ｎｍの波長にかけて、光強度が連続的に減少する長波長領域Ｌとを有している。なお、光強度（Ｗ／ｍ２／ｎｍ）は、単位面積および単位波長あたりの光の放射照度である。
【００２８】
すなわち、本実施形態の発光装置１は、紫色（波長360〜430ｎｍ）から青色（波長430〜470ｎｍ）においてピークを有し、緑色から赤色（波長480〜750ｎｍ）にかけて光強度が次第に小さくなる光を外部に放射し、外部の被照明物に対する照明を行なう。言い換えれば、本実施形態の発光装置１で照明された被照明物は、紫〜青の色調が比較的強い色として視認される。このような色（色調）は、深さ約40ｍ（例えば約30〜50ｍ）の海中において、その水深で生息している水生生物を見たときの色調に近似している。
【００２９】
したがって、本実施形態の発光装置１は、例えば、水深40ｍ程度の、比較的多種類の水生生物が生息する深度に対応した照明装置の製作を容易にすることができる。このような水生生物としては、例えばタイ、スズキ、エビなどの魚介類、イソギンチャク等の刺胞動物、海藻類等が挙げられる。なお、このような実施形態の発光装置１を含む照明装置10の詳細については後述する。
【００３０】
上記の生物は、例えば室内（地上）において観賞（個人等）、展示（水族館等）、養殖または研究等の目的で水槽等において飼育される場合がある。このような場合に、実施形態の発光装置１を含む照明装置を用いれば、上記の各用途に適した飼育環境を容易に構成することができる。例えば、観賞用に上記の水生生物を飼育する場合であれば、その水生生物が実際に生息している水中における色調を高い精度で再現することができる。そのため、飼育者は、実際に水中で水生生物を見るときと同じ色調で、室内等においてその生物を観賞することができる。この場合の発光装置１は、例えば、心地良い観賞環境を容易に構成することができる。また、このような発光装置１および照明装置を製作および販売するときには、その付加価値を効果的に向上させること（より高い価格で販売すること等）もできる。
【００３１】
上記構成の発光装置１において、長波長領域の光強度が下記条件を満たすものでもよい。すなわち、長波長領域Ｌにおける外部放射光の光強度は、495〜570ｎｍの波長領域において第１ピーク波長λ１における光強度の１〜20％の強さであり、570〜590ｎｍの波長領域において第１ピーク波長λ１における光強度の0.2〜３％の強さであり、590〜750ｎｍの波長領域において第１ピーク波長λ１における光強度の１％以下の強さであってもよい。すなわち、緑色領域から黄色領域にかけて比較的大きな減少割合で光強度が小さくなり、橙色から赤色領域の成分をほとんど含まない（第１ピーク波長λ１における光強度に対して０％を含む）外部放射光であってもよい。
【００３２】
この場合には、外部放射光は、長波長領域Ｌにおいて光の波長が長いほど光強度小さくなる。この外部放射光を放射する発光装置１は、深くなるにつれて緑色〜赤色（特に赤色）領域の割合が小さくなる、水中における太陽光の長波長域成分の減衰をより高い精度で再現できる。そのため、前述したような水深（30〜50ｍ等）における水中の照明環境の再現性を高める上で、より有利な発光装置１とすることができる。
【００３３】
また、上記構成の発光装置１において、外部放射光は、360ｎｍ未満の紫外領域における光強度が、第１ピーク波長λ１における光強度の１％以下であってもよく、０％であってもよい。すなわち、発光装置１は、実質的に紫外領域の光成分（紫外線）を含んでいないものでもよい。外部放射光について、360ｎｍ未満の紫外領域における光強度が、第１ピーク波長λ１における光強度の１％以下であるときには、紫外線による水生生物への悪影響の低減等に有効である。
【００３４】
上記第２放射光を放射する蛍光体７について、具体的な例を挙げて説明する。なお、図３では、蛍光体７として、第２ピーク波長λ２に対応した蛍光を放射する蛍光体（第１蛍光体７ａ）に加えて、第２蛍光体７ｂが用いられた例を示している。
【００３５】
青色を示す第１蛍光体７ａは、例えば（Ｓｒ，Ｃａ，Ｂａ）１０（ＰＯ４）６Ｃｌ２：Ｅｕである。青緑色を示す第２蛍光体７ｂは、例えばＳｒ４Ａｌ１４Ｏ２５：Ｅｕである。かっこ内の元素の割合は、分子式の範囲内であれば任意に設定して構わない。第２蛍光体７ｂにより、外部放射光の青〜青緑領域におけるスペクトルを太陽光のスペクトルにさらに近付けることができる。
【００３６】
なお、図４において、上記の波長領域における光エネルギー（Ｊ）は、光強度を示す曲線と相対強度＝０の直線との間に挟まれる部分の面積（つまり単位波長における光強度の積算値（積分値））として表されている。また、第１ピーク波長λ１の下限が約360ｎｍであり、長波長領域の上限全波長領域が約750ｎｍである。そのため、上記の全波長領域は、ほぼ可視光の波長領域に相当する。例えば、360〜430ｎｍの波長領域の光エネルギー（Ｊ）の割合は、発光装置１から放射される可視光の光エネルギーにおける比較的波長が短い領域の光エネルギーの割合を示している。
【００３７】
本発明の実施形態の照明装置10を図５に示している。実施形態の照明装置10は、上記いずれかの構成の発光装置１と、発光装置１が実装された実装板11とを備えている。図５に示す例において実装板11は、長方形平板状の基部12と、基部12上に位置して発光装置を封止する透光性の蓋体13とを備えている。また、この実施形態における照明装置10は、実装板11を収容する溝状の部分を有する筐体21と、筐体21の短辺側の端部を塞ぐ一対の端板22とをさらに備えている。
【００３８】
この照明装置10から外部に放射される外部放射光は、基本的に、発光装置１の外部放射光と同じスペクトルを有している。そのため、照明装置10の外部放射光も、発光装置１の外部放射光と同様の効果を有している。なお、発光装置１の外部放射光と同じスペクトルとは、360〜430ｎｍの第１ピーク波長λ１および430〜470ｎｍの第２ピーク波長λを有するピーク領域Ｐと、第２ピーク波長λ２の上限から750ｎｍの波長にかけて、光強度が連続的に減少する長波長領域Ｌとを有するスペクトルである。
【００３９】
すなわち、透光性の蓋体13を含む実装板11および筐体21によって構成される実装空間内に、複数の発光装置１が実装されて、水生生物等の飼育に用いられる照明装置10が構成されている。このような照明装置10によれば、上記構成の発光装置１を含んでいることから、水生生物の飼育に適した照明装置を提供することができる。
【００４０】
また、照明装置10は、実施形態の発光装置１とは異なるスペクトルの外部放射光を放射する発光装置（符号なし）（以下、他の発光装置という）を含んでいても構わない。他の発光装置は、互いにスペクトルが異なる外部放射光を有する複数種のものを含んでいてもよい。
【００４１】
この場合、複数種の他の発光装置の外部放射光を合成させることで、実施形態の発光装置１と同様のスペクトルを有する外部放射光とすることもできる。この構成において、照明装置10から外部に放射される、発光装置１と同じスペクトルの外部放射光の光強度を効果的に高めることもできる。また、あわせて、複数種の他の発光装置の発光強度を適宜調整することで、照明装置10の外部放射光のスペクトルを微調整することもできる。この場合の微調整としては、例えば、第１、第２ピーク波長λ１、λ２における最大ピーク波長の一方または両方を異ならせること等を挙げることができる。
【００４２】
実装板11は、複数の発光装置１を配列して保持する機能を有している。また、実装板11は、発光装置１が発する熱を外部に放散させる機能を有している。実装板11は、例えば、アルミニウム、銅またはステンレス鋼等の金属材料、有機樹脂材料またはこれらを含む複合材料等により形成されている。
【００４３】
この実施形態における実装板11は、平面視において細長い長方形状であり、例えば、長手方向の長さが100ｍｍ以上2000ｍｍ以下である。前述したように、実装板11は、複数の発光装置１が実装される実装領域を上面に有する基部12と、実装領域を封止する透光性の蓋体13とを含んでいる。また、実装板11は、筐体21の溝状の部分に収容される。溝状の部分の両端がそれぞれ端板22で塞がれて、筐体21内に実装板11およびこれに実装された複数の発光装置１が固定されて収容される。
【００４４】
基部12としては、例えば、リジッド基板、フレキシブル基板またはリジッドフレキシブル基板等のプリント基板が用いられる。基部12に配置された配線パターンと発光装置１における基板２の配線導体とが、半田または導電性接着剤を介して互いに電気的に接続される。外部の電源から基部12を介して伝送された電気信号（電流）が基板２を介して発光素子３に伝わり、発光素子３が発光する。
【００４５】
蓋体13は、発光装置１を封止するとともに、これらの発光装置が放射する外部放射光を外部に透過させる機能を有している。そのため、蓋体13は、この外部放射光が透過する透光性の材料からなる。透光性の材料としては、例えば、アクリル樹脂およびガラス等が挙げられる。蓋体13は、矩形状（基部12と同様の細長い長方形状等）の板体であって、長手方向の長さが、例えば、98ｍｍ以上1998ｍｍ以下に設定されている。
【００４６】
蓋体13は、筐体21の溝状の部分における長手方向一方側または他方側の開口から挿し込まれ、筐体21の長手方向に沿ってスライドされて位置決めされる。前述したように溝状の部分の両端が端板22で塞がれて、筐体21に蓋体13が固定される。すなわち、複数の発光装置１が実装板11に実装され、筐体21および蓋体13等で封止されてなる照明装置10が構成される。
【００４７】
また、蓋体13は、光を拡散させる機能を有する材料からなるものでもよい。この場合には、照明装置10の外部放射光のスペクトルを発光装置１と同じに維持しながら、まぶしさを低減することができる。光を拡散させる材料としては、例えば、上記透光性の材料に、その材料とは光の屈折率が異なる樹脂材料等の粒子を添加したものが挙げられる。
【００４８】
なお、上記の照明装置10は、複数の発光装置１を直線状に配列した線発光の照明装置であるが、これに限らず複数の発光装置１を格子状または千鳥格子状に配列した面発光の照明装置であってもよい。また、実装板11（基部12等）は、平面視で細長い長方形状のものに限らず、平面視で正方形状等の縦横比が小さい四角形状でもよく、円形状または楕円形状等の四角形状以外のものでもよい。例えば、照明装置が水生生物の飼育されている水槽上に配置されるものであるときに、この水槽の形状と同様の形状（例えば円形状等）の実装板11が用いられてもよい。
【００４９】
また、複数の発光装置１が直線状に配列されて実装された実装板11を含む照明装置（実施形態の照明装置10または上記他の形態の照明装置等）が、さらに複数個、他の基板に搭載されてなる照明用モジュールとして、水生生物の飼育等に利用されてもよい。また、上記の照明装置10およびモジュール等は、水が付着したときの影響を低減するためのシーリング材等（図示せず）が、筐体21と蓋体13との間等の所定部位に配置されたものでもよく、筐体内に吸湿剤等が配置されたものでもよい。また、配線導体に金めっき等のめっき層が被着されたものでもよい。
【符号の説明】
【００５０】
１  発光装置
２  基板
３  発光素子
４  枠体
５  封止部材
６  被覆材
７  蛍光体
７ａ  第１蛍光体
７ｂ  第２蛍光体
10  照明装置
11  実装板
12  基部
13  蓋体
21  筐体
22  端板
λ１  第１ピーク波長
λ２  第２ピーク波長
Ｐ  ピーク領域
Ｌ  長波長領域
【図１】
2019106864.tif 000003
【図２】
2019106864.tif 000004
【図３】
2019106864.tif 000005
【図４】
2019106864.tif 000006
【図５】
2019106864.tif 000007
【国際調査報告】
2019106864.tif 000008
2019106864.tif 000009
2019106864.tif 000010
2019106864.tif 000011